(57)【要約】      （修正有）【課題】おむつ着用時にレッグフラップ部のおむつ内側への入り込みを防止し漏れを防止した使い捨ておむつを提供すること。【解決手段】おむつ1は、吸収体4の長手方向両側部に沿い、弾性部材51を有する一対のレッグフラップ部5,5が設けられ、裏面シートは、おむつ長手方向両端部間に亘り配され、フラップ部5の部材51はフラップ部5の幅方向外側端部近傍に配され、部材51の幅方向外側にはフラップ部5を形成するヒダがほとんどなく、背側部B両側部には一対の幅方向伸縮部7が設けられ、伸縮部7の伸縮領域はフラップ部5の配設方向外側に存在し、伸縮部5は表面シート2を厚さ方向基準としてフラップ部5よりもシート側に配され、伸縮部7はシートに接合され、伸縮部7の幅方向外側端部にはテープ13が幅方向に突出し、フラップ部5の部材51が配されている部分の非肌当接面側の長手方向中央部はシートにより覆われている。【選択図】図２
2006320709.tif 000002
【特許請求の範囲】
【請求項１】
表面シート、裏面シート及び両シート間に介在された吸収体を備え、該吸収体の長手方向の両側部に沿って、弾性部材を有する一対のレッグフラップ部が設けられている使い捨ておむつであって、
前記裏面シートは、おむつ長手方向の両端部間に亘り配されており、
一対の前記レッグフラップ部の前記弾性部材は、一対の該レッグフラップ部の幅方向外側の端部又はその近傍に配されており、前記弾性部材の幅方向外側には、前記レッグフラップ部を形成しているヒダがないか又はほとんど形成されておらず、
背側部における胴回り部の両側部には、一対の幅方向伸縮部が設けられており、一対の該幅方向伸縮部における伸縮領域は、それぞれ前記レッグフラップ部の配設方向及び該配設方向の幅方向外側に存在しており、
一対の前記幅方向伸縮部は、前記表面シートを厚さ方向の基準として、一対の前記レッグフラップ部よりも、前記裏面シート側に配されており、
一対の前記幅方向伸縮部は、前記裏面シートに接合されており、該幅方向伸縮部の幅方向外側端部には、ファスニングテープがおむつ幅方向に突出するように設けられており、
一対の前記レッグフラップ部における前記弾性部材が配されている部分の非肌当接面側は、該レッグフラップ部における長手方向の中央部において、前記裏面シートにより部分的に覆われている使い捨ておむつ。
【請求項２】
一対の前記幅方向伸縮部は、それぞれ前記レッグフラップ部の配設方向と交差するように設けられている請求項１記載の使い捨ておむつ。
【請求項３】
一対の前記レッグフラップ部の前記弾性部材の配設方向は、前記幅方向伸縮部と交差している請求項１又は２記載の使い捨ておむつ。
【請求項４】
一対の前記レッグフラップ部は、それぞれ複数の弾性部材を有しており、幅方向の最外側に配されている該弾性部材は、一対の該レッグフラップ部の幅方向外側の端縁から５ｍｍ以内に配されている請求項１〜３の何れかに記載の使い捨ておむつ。
【請求項５】
股下部における前記レッグフラップ部において、幅方向の最外側に配されている前記弾性部材よりも外側には、前記裏面シートが配されていない請求項４記載の使い捨ておむつ。
【発明の詳細な説明】
【技術分野】
【０００１】
本発明は、使い捨ておむつ、特にレッグフラップ部を有する使い捨ておむつに関する。
【背景技術】
【０００２】
従来、レッグフラップ部を備えた使い捨ておむつが広く知られている。この種のおむつは、おむつの長手方向の両側部に沿って一対のレッグフラップ部が設けられており、該レッグフラップ部の外側には、レッグギャザーによるヒダが形成されているものもある。
この種の使い捨ておむつでは、おむつを幼児に装着する際、おむつのレッグフラップ部におけるレッグギャザーのヒダがおむつの内側に入り込み、そのままにしておくと、おむつ着用中に、レッグフラップ部から漏れを生じる場合がある。そこで、保護者等は、おむつを幼児に装着する際、脚部のレッグギャザーのヒダをおむつの外側に出して手直しを行う必要があり、おむつ装着時の手間となっている。
【０００３】
また、レッグフラップ部におけるレッグギャザーを形成している弾性部材が、該レッグフラップ部のおむつ幅方向外側の端部近傍に配されている使い捨ておむつが知られている。
例えば、特表２００２−５２２１１７号公報（特許文献１）には、レッグフラップ部が有する複数の弾性部材のうち、おむつ幅方向最外側に位置する弾性部材が、レッグフラップ部の幅方向外側の端部近傍に配されている使い捨ておむつが開示されている。
【０００４】
また、特表平８−５０８６５７号公報（特許文献２）にも、レッグフラップ部が有する複数の弾性部材のうち、おむつ幅方向最外側に位置する弾性部材が、レッグフラップ部の幅方向外側の端部近傍に配されている使い捨ておむつが開示されている。このおむつにおけるレッグフラップ部の長手方向中央部は、その非肌当接面側が防漏シートに覆われていない。
【０００５】
【特許文献１】特表２００２−５２２１１７号公報
【特許文献２】特表平８−５０８６５７号公報
【発明の開示】
【発明が解決しようとする課題】
【０００６】
このような構成のおむつは、レッグフラップ部におけるレッグギャザーを形成している弾性部材が、該レッグフラップ部のおむつ横方向外側の端近傍に配されているため、該レッグフラップ部の外側には、ヒダがないか又はほとんど形成されていない。そのため、おむつを幼児に装着する際、おむつのレッグフラップ部におけるレッグギャザーのヒダがおむつの内側に入り込むことはなく、おむつ着用時における足回りの手直しをしなくて済むため、着用を速やかに行える。
しかし、おむつ着用者の動きによって、前述したおむつのレッグフラップ部レックギャザーは、股下部においては、ソケイ部へ食い込むように移動し易く、また、臀部においては、お尻の割れ目方向へ移動し易いため、新たな問題が生じた。その結果、おむつのフィット性が低下し、また漏れの原因となっている。
【０００７】
この理由は以下の通りである。レッグギャザーのヒダを具備するレッグフラップ部の場合には、ヒダが抵抗となって、レッグフラップ部の移動が防止されるが、そのヒダがないか又はほとんど形成されていないレッグフラップ部の場合には、おむつ着用者の動きによって、レッグフラップ部が移動し易くなるためである。
【０００８】
また、特許文献２に記載のおむつ着用状態において、レッグフラップ部の非肌当接面側は、おむつ長手方向の中央部において、防漏シートに覆われていないため、レッグフラップ部から漏れが生じるおそれがある。
【０００９】
従って、本発明の目的は、レッグフラップ部におけるレッグギャザーを形成している弾性部材が、該レッグフラップ部のおむつ横方向外側の端部又はその近傍に配されることにより、おむつ着用時におけるレッグフラップ部がおむつ内側へ入り込むことが防止されると共に、おむつ着用時におけるレッグフラップ部の移動が防止され、フィット性が高く、漏れが防止された使い捨ておむつを提供することにある。
【課題を解決するための手段】
【００１０】
本発明は、表面シート、裏面シート及び両シート間に介在された吸収体を備え、該吸収体の長手方向の両側部に沿って、弾性部材を有する一対のレッグフラップ部が設けられている使い捨ておむつであって、前記裏面シートは、おむつ長手方向の両端部間に亘り配されており、一対の前記レッグフラップ部の前記弾性部材は、一対の該レッグフラップ部の幅方向外側の端部又はその近傍に配されており、前記弾性部材の幅方向外側には、前記レッグフラップ部を形成しているヒダがないか又はほとんど形成されておらず、背側部における胴回り部の両側部には、一対の幅方向伸縮部が設けられており、一対の該幅方向伸縮部における伸縮領域は、それぞれ前記レッグフラップ部の配設方向及び該配設方向の幅方向外側に存在しており、一対の前記幅方向伸縮部は、前記表面シートを厚さ方向の基準として、一対の前記レッグフラップ部よりも、前記裏面シート側に配されており、一対の前記幅方向伸縮部は、前記裏面シートに接合されており、該幅方向伸縮部の幅方向外側端部には、ファスニングテープがおむつ幅方向に突出するように設けられており、一対の前記レッグフラップ部における前記弾性部材が配されている部分の非肌当接面側は、該レッグフラップ部における長手方向の中央部において、前記裏面シートにより部分的に覆われている使い捨ておむつを提供することにより、上記目的を達成したものである。
【発明の効果】
【００１１】
本発明の使い捨ておむつによれば、おむつ着用時におけるレッグフラップ部がおむつ内側へ入り込むことが防止されると共に、おむつ着用時におけるレッグフラップ部の移動が防止され、フィット性が高く、漏れが防止される。
【発明を実施するための最良の形態】
【００１２】
以下、本発明の使い捨ておむつの好ましい一実施形態について、図１〜図５を参照しながら説明する。
【００１３】
第１実施形態の使い捨ておむつ１は、幼児用の展開型の使い捨ておむつであり、図１〜図４に示すように、液透過性の表面シート２、液不透過性又は撥水性の裏面シート３である防漏シート及び両シート間に介在された液保持性の吸収体４を備え、長手方向の両側部に沿って、各３本の弾性部材５１Ａ、５１Ｂ、５１Ｃを有する一対のレッグフラップ部５、５が設けられている。
本発明でいうレッグフラップ部とは、おむつ中央部の幅方向おむつ端部から吸収体側縁端４１間の前後方向の領域を指し、具体的には弾性部材５１を配設／包含するシート材６２のみの部分及び弾性部材５１を配設している部分をいう。
また、この使い捨ておむつ１は、図１及び図２に示すように、吸収体４の長手方向の両側部に沿って、各２本の弾性部材６１、６１を有する一対の立体ギャザー部６、６が設けられている。
第１実施形態の使い捨ておむつ１における一対のレッグフラップ部５、５の幅方向最外側に配されている弾性部材５１Ａ、５１Ａは、図３及び図４に示すように、一対の該レッグフラップ部５、５の幅方向外側の端部及びその近傍に配されており、前記弾性部材５１Ａ、５１Ａの外側には、レッグフラップ部５を形成しているシート材６２からなるヒダがないか又はほとんど形成されていない。
また、背側部Ｂにおける胴回り部Ｅの両側部には、図２に示すように、一対の幅方向伸縮部７、７が設けられており、一対の該幅方向伸縮部７、７における伸縮領域は、それぞれレッグフラップ部５の配設方向及び該配設方向の幅方向外側に存在しており、一対の該幅方向伸縮部７、７は、図４に示すように、表面シート２を厚さ方向の基準として、一対のレッグフラップ部５、５よりも、防漏シート３側に配されている。
【００１４】
防漏シート３は、図５に示すように、縦長矩形であり、その長手方向は、おむつ長手方向と一致している。防漏シート３は、おむつ長手方向の両端部間に亘り連続に配されている。具体的には、防漏シート３は、ウエスト開口部を形成する背側部Ｂの端縁及び腹側部Ｃの端縁間に亘り配されており、おむつ長手方向全体における防漏性が高められている。そのため、使い捨ておむつ１は、おむつ着用者が、立っている場合と共に、寝ている場合においても、高い防漏性を有している。
【００１５】
更に、第１実施形態の使い捨ておむつ１において、一対の幅方向伸縮部７、７は、図４に示すように、防漏シート３に接合されており、該幅方向伸縮部７の幅方向外側端部には、ファスニングテープ１３がおむつ幅方向に突出するように設けられており、一対のレッグフラップ部５、５それぞれにおける弾性部材５１Ａ、５１Ｂ、５１Ｃが配されている部分の非肌当接面側は、レッグフラップ部５における長手方向の中央部において、防漏シート３により部分的に覆われている。本明細書において、「部分的に覆われている」とは、後述する第６実施形態において示すように、前記部分の非肌当接面側全体が、防漏シート３により覆われている場合も含む意味である。
【００１６】
第１実施形態の使い捨ておむつ１において、幅方向伸縮部７の幅方向は、おむつ幅方向と一致している。また、幅方向伸縮部７の幅方向は、幅方向伸縮部７の横方向ともいう。
【００１７】
第１実施形態の使い捨ておむつ１は、図４に示すように、防漏シート３と吸収体４との間にカバーシート１１が設けられている。表面シート２及び防漏シート３は、吸収体４の両側縁４１、４１及び両端縁から外方に延出しており、それらの延出部においてカバーシート１１を挟んで接合されている。
【００１８】
また、防漏シート３の下側には、図４に示すように、外層シート８が設けられている。外層シート８及びカバーシート１１は、おむつの外形形状に一致する砂時計状の外形を有している。カバーシート１１及び外層シート８の長手方向の両側部は、それぞれ表面シート２の両側縁から幅方向外方に延出している。外層シート８の上側の面は、防漏シート３及びカバーシート１１と接合されている。
【００１９】
本明細書において、防漏シート３の下側は、防漏シート３の非肌当接面側であり、防漏シート３の上側は、防漏シート３の肌当接面側である。その他の部位についても同様であり、例えば、外層シート８の上側は、外層シート８の肌当接面側である。
【００２０】
カバーシート１１及び外層シート８は、股下部Ａにおいて、防漏シート３と同じ幅となっており、背側部Ｂ及び腹側部Ｃにおいては、防漏シート３よりも幅広となっている。
防漏シート３の肌当接面側の面は、直接的又は間接的に、カバーシート１１と接合されており、防漏シート３の非肌当接面側の面は、直接的にカバーシート１１と接合されている。防漏シート３の肌当接面側の面は、部分的に、幅方向伸縮部７を介してカバーシート１１と接合されている。
【００２１】
吸収体４は、縦長矩形であり、その長手方向はおむつ長手方向と一致している。吸収体４の長さ及び幅それぞれは、防漏シート３よりも小さい。尚、図５において、吸収体４は、その長手方向における位置を、腹側部Ｃ側にずらして示している。
【００２２】
第１実施形態の使い捨ておむつ１について、詳述すると、一対のレッグフラップ部５、５は、それぞれ、幅方向の外側端部にレッグギャザーを有している。レッグフラップ部５は、図３に示すように、立体ギャザー部６を形成している撥水性のシート材６２が、固定端６３から幅方向外側に延出し、カバーシート１１を挟んで、防漏シート３と接合され形成されている。固定端６３は、図３に示すように、シート材６２が、吸収体４の側縁４１とレッグフラップ部５の間において、おむつ長手方向に亘って直線状に表面シート２上に固定されたものである。レッグフラップ部５及び立体ギャザー部６は、固定端６３において表面シート２上に固定されている。図３には、図２における右側について説明したが、左側も全く同様に構成されている。図４についても、同様である。
レッグフラップ部５を形成するシート材６２の幅方向外側の端部は、図３に示すように、３本のレッグギャザー形成用の弾性部材５１Ａ、５１Ｂ、５１Ｃを包んで折り返されている。この折り返されているシート材６２の幅方向外側の端縁近傍は、対向しているシート材６２とヒートシール、接着剤等の公知の接合手段により、接合されている。
一対のレッグフラップ部５、５は、図２に示すように、それぞれ、背側部Ｂにおいて長手方向の一端が固定（固定部５３）され、腹側部Ｃにおいて他端が固定（固定部５２）されている。
【００２３】
一対のレッグフラップ部５、５の幅方向に配設されている弾性部材５１Ａ、５１Ｂ、５１Ｃは、図２に示すように、それぞれ、糸状の形態を有し、レッグフラップ部５の自由端５４と略平行に３本配されている。
また、一対のレッグフラップ部５、５の幅方向の最外側に配されている該弾性部材５１Ａは、それぞれレッグフラップ部５の幅方向外側の端縁から５ｍｍ以内に配されている。
【００２４】
レッグフラップ部５における弾性部材５１Ａ、５１Ｂ、５１Ｃが包まれているシート材６２からなる袋状の内部において、シート材６２の長手方向の側部を除いては、シート材６２同士は接合されはておらず、各弾性部材間においても、シート材６２同士は離間している。尚、前記袋状の内部において、弾性部材５１Ａ、５１Ｂ、５１Ｃとシート材６２とは、接着剤等の公知の接合手段で接合されている。
レッグフラップ部５の下側の面は、股下部Ａにおいて、図３に示すように、カバーシート１１、防漏シート３及び外層シート８それぞれが吸収体４の側縁４１から延出して覆われているが、幅方向の最外側に配されている弾性部材５１Ａより外側は、これらのシート等に覆われていない。
【００２５】
尚、「幅方向の最外側に配されている弾性部材５１Ａより外側」は、該弾性部材５１Ａを含む領域である。
【００２６】
股下部Ａにおいて、レッグフラップ部５の下側の面における防漏シート３に覆われている部分は、おむつ長手方向に亘り、カバーシート１１を介して、防漏シート３と接合されている。
また、背側部Ｂ及び腹側部Ｃにおいて、レッグフラップ部５の下側の面は全てカバーシート１１を介して、防漏シート３と接合されている。
【００２７】
第１実施形態の使い捨ておむつ１のレッグフラップ部５は、おむつ装着時に、弾性部材５１Ａ、５１Ｂ、５１Ｃによりギャザーが形成されることにより、脚周りの防漏性が高められている。また、前述したように、レッグフラップ部５の下側の面が防漏シート３により覆われているため、脚周りの防漏性が更に高められている。
【００２８】
第１実施形態の使い捨ておむつ１における一対の幅方向伸縮部７、７について、詳述すると、一対の該幅方向伸縮部７、７は、それぞれ、複数の糸状の弾性部材７１、７１…を伸張して略平行に並べた状態で、２枚の矩形状のシート材により該弾性部材７１、７１…を挟んで接合した複合部材である。前記シート材としては、不織布、フィルム、ティッシュなどを用いることができるが、伸縮部に通気性を付与させる観点から不織布が好ましく用いられる。
一対の該幅方向伸縮部７、７それぞれの横方向外側端部には、図２に示すように、それぞれファスニングテープ１３が横方向に突出するように設けられている。
【００２９】
幅方向伸縮部７は、糸状の弾性部材７１、７１…がおむつ幅方向に伸張した状態において、図４に示すように、カバーシート１１と防漏シート３及び外層シート８との間に挟まれて接合されている。一対の幅方向伸縮部７、７は、図２に示すように、それぞれ吸収体４の少なくとも両側縁４１、４１の位置よりも幅方向外側の部位に固定されており、且つ該吸収体４の中央部には配設されていない。これは、図４に示すように、吸収体両側縁４１、４１の位置よりも幅方向内側の部位に幅方向伸縮部７、７が吸収体４と重なるように配設されている場合と、該吸収体４と該幅方向伸縮部７、７とは重ならないが、該幅方向伸縮部７の側縁が吸収体４の側縁近傍に配設されている場合（図示せず）とがある。何れの場合も、おむつ幅方向の中央部に配置された吸収体４を伸縮させないことが好ましい。
【００３０】
幅方向伸縮部７の非肌当接面側の面において、おむつ幅方向内側の部分は、図４に示すように、防漏シート３に覆われていて、該防漏シート３と接合されている。
股下部Ａにおけるレッグフラップ部５の非肌当接面側の部分は、図３及び図４に示すように、カバーシート１１及び防漏シート３を介して、幅方向伸縮部７と繋がっている。
【００３１】
また、一対の幅方向伸縮部７、７は、図２及び図４に示すように、それぞれレッグフラップ部５の配設方向と交差するように設けられている。ここで、前記配設方向は、図２において矢印で示すように、長手方向に配設されているレッグフラップ部５に沿う方向である。前記配設方向には、レッグフラップ部５の配設されている部分が含まれ、またレッグフラップ部５の配設されている部分の延長上も含まれる。
更に、一対の幅方向伸縮部７、７は、図２及び図４に示すように、それぞれレッグフラップ部５と重なっており、該レッグフラップ部５とカバーシート１１を挟んで接着剤により間接的に接合されている。
一対の幅方向伸縮部７、７がレッグフラップ部５の配設方向と交差するように設けられているため、装着時にレッグフラップ部５の交差部近傍が着用者の肌に密着し、着用者に固定されるためにレッグフラップ部５の移動が抑制される。
また、第１実施形態における一対のレッグフラップ部５、５の弾性部材５１Ａ、５１Ｂ、５１Ｃの配設方向は、それぞれ、幅方向伸縮部７と交差している。前記配設方向の意味は、上述した通りであり、弾性部材５１Ａ、５１Ｂ、５１Ｃの配設されている部分は、図２及び図４に示すように、幅方向伸縮部７と重なっている。
【００３２】
第１実施形態の使い捨ておむつ１のレッグフラップ部５において、おむつ長手方向と直交する方向における固定端６３と自由端５４との間の長さを、おむつの緊張状態において、レッグフラップ部５の表面に沿って測定した長さＷ１は、長手方向のどの位置でも同じであることが好ましい。長さＷ１は、１０〜７０ｍｍ、特に２０〜５０ｍｍが好ましい。
この第１実施形態におけるおむつの緊張状態とは、おむつに伸長固定されている各弾性部材の収縮により、縮んだおむつの収縮を解いた状態のことをいう。即ち、幅方向伸縮部７、レッグフラップ部５及び立体ギャザー部６それぞれの収縮部をおむつの長手方向・幅方向共におむつの寸法値の最大に伸長させた状態をいう。
但し、図１１で後述する第６実施形態の伸縮性パネル部７を有するおむつの場合における緊張状態とは、伸縮性パネル部７、７間は第１実施形態と同様であるが、無付加状態では縮まない伸縮性パネル部７を引張力が無い状態で平らにした状態を含めて、おむつ全体の状態をいう。
レッグフラップ部５における股下部Ａの長さＷ３は、おむつの緊張状態において、５０〜３５０ｍｍ、特に１００〜２５０ｍｍであることが好ましい。ここで股下部Ａとは前後のサイドフラップ部９、９（後述する）間の部分をいう。
【００３３】
第１実施形態の使い捨ておむつ１について、更にまた説明すると、図２に示すように、長手方向の中央部に股下部Ａを有しており、長手方向における該股下部Ａの前後に、両側縁部に一対のファスニングテープ１３が設けられた背側部（長手方向の一方の部位）Ｂ及び外表面にファスニングテープ１３を止着するランディングゾーン１３１が設けられた腹側部（他方の部位）Ｃを有している。股下部Ａは、着用時に着用者（被装着者）の股下部（股間部）に配される。また、背側部Ｂ及び腹側部Ｃそれぞれの両側部には、図１及び図２に示すように、一対のサイドパネル部９、９が設けられている。
【００３４】
使い捨ておむつ１は、自然状態において、図１に示すように、一対のレッグフラップ部５、５及び一対の立体ギャザー部６、６の収縮力によって、おむつの表面側に向けて湾曲している。また、使い捨ておむつ１は、緊張状態においては、図２に示すように、全体として、長手方向中央部が括れた砂時計状の形状を有している。ここで、自然状態とは、重力以外の外力が使い捨ておむつ１に、実質上働いていない状態をいう。
【００３５】
第１実施形態の使い捨ておむつ１における一対の立体ギャザー部６、６は、それぞれ、立体ギャザー形成用の弾性部材６１を有する立体ギャザー部６形成用のシート材６２を、図３に示すように、表面シート２の両側縁の外側から内側に亘るように配設して形成されている。尚、各立体ギャザー部６は、おむつ緊張状態において、表面シート２上に寝ているが、図３においては、便宜上、表面シート２に対して垂直に立てて示してある。
【００３６】
一対の立体ギャザー部６に配設されている弾性部材６１、６１は、図２に示すように、それぞれ、糸状の形態を有し、立体ギャザー部６の自由端６４と略平行に２本配されている。
【００３７】
立体ギャザー部６は、背側部Ｂの固定部において、図４に示すように、固定端６３よりもおむつ幅方向内側に位置する部分が表面シート２上に固定されている。立体ギャザー部６の腹側部Ｃの固定部も同様に固定されている。
また、第１実施形態の使い捨ておむつ１における背側部Ｂ及び腹側部Ｃそれぞれにおけるウエスト部Ｄ、Ｄには、図２に示すように、ウエスト伸縮部１２、１２がそれぞれ形成されている。尚、ウエスト伸縮部１２、１２は、図５には記載していない。
【００３８】
上述した第１実施形態の使い捨ておむつ１によれば、一対の幅方向伸縮部７、７は、表面シート２を厚さ方向の基準として、それぞれ、レッグフラップ部５よりも防漏シート３側に配されているため、レッグフラップ部５は、おむつ着用者の動きによって幅方向伸縮部７が発生するシワの影響を受けにくくなっている。そのため、レッグフラップ部５の前記レッグギャザーが着用者の肌へ密着し易くなり、漏れ防止性が高められている。
また、レッグフラップ部５の幅方向外側の端部近傍に弾性部材５１Ａが配されており、レッグフラップ部５は、該弾性部材５１Ａによって外側からおむつ着用者の肌側へ締め付けられるため、該レッグフラップ部５の移動が防止される。
また、股下部Ａにおけるレッグフラップ部５において、幅方向の最外側に配されている弾性部材５１Ａよりも外側には、防漏シート３、カバーシート１１及び外層シート８が配されていないため、レッグフラップ部５の幅方向外側端部の柔軟性が高く、着用者の肌とレッグフラップ部５との間の密閉性が高められている。
【００３９】
次に第２〜第６実施形態の使い捨ておむつ１を、図６〜図１３を参照しながら説明する。第２〜第６実施形態について、特に説明しない点については、第１実施形態に関して詳述した説明が適宜適用される。また、図６〜図１３において、図１〜図５と同じ部材に同じ符号を付してある。
【００４０】
第２実施形態の使い捨ておむつ１において、防漏シート３は、図６及び図７に示すように、カバーシート１１の上側に配されている。また、防漏シート３は、レッグフラップ部５においては、シート材６２と弾性部材５１Ｂ、５１Ｃとの間に挟まれており、レッグフラップ部５における防漏性が高められている。
【００４１】
防漏シート３における長手方向の両側部それぞれは、図６及び図７に示すように、その肌当接面側の面が、弾性部材５１Ｂ、５１Ｃと接合されており、その非肌当接面側の面が、シート材６２と接合されている。また、防漏シート３の幅方向中央部は、表面シート２、吸収体４又はカバーシート１１と部分的に接合されている。防漏シート３の幅方向中央部は、その幅方向両端部を除いた部分である。
【００４２】
第３実施形態の使い捨ておむつ１において、レッグフラップ部５は、図８に示すように、立体ギャザー部６を形成するシート材６２とは別の撥水性のシート材５５により形成されている。シート材５５の幅方向外側の端部は、弾性部材５１Ａ、５１Ｂ、５１Ｃを包んで上側に折り返されている。また、防漏シート３は、シート材５５の上に配されており、レッグフラップ部５においては、シート材６２と弾性部材５１Ｂ、５１Ｃとの間に挟まれている。
立体ギャザー部６を形成するシート材６２の幅方向外側の端部は、レッグフラップ部５の幅方向外側の端部の上まで延出しており、レッグフラップ部５と接合されている。
【００４３】
第４実施形態の使い捨ておむつ１において、シート材６２は、図９に示すように、立体ギャザー部６の弾性部材６１、６１を覆っている長手方向の内側の側部が幅方向外側に延出し、レッグフラップ部５の弾性部材５１Ａ、５１Ｂ、５１Ｃを下側から覆い、シート材６２の長手方向の他方の側部と重なり、立体ギャザー部６及びレッグフラップ部５を一体的に形成している。シート材６２の重なっている長手方向の両側部は、レッグフラップ部５の自由端５４において、下側に折り返されている。
防漏シート３は、図９に示すように、レッグフラップ部５におけるシート材６２の折り返しの間に挟まれて、シート材６２と接合されている。
第４実施形態の使い捨ておむつ１によれば、レッグフラップ部５の下側の面（図９参照）は、防漏シート３及び３枚の撥水性のシート材６２が重なって形成されているため、防漏性がより高められている。
【００４４】
第５実施形態の使い捨ておむつ１は、図１０に示すように、カバーシート１１が背側部Ｂのみに配されている。カバーシート１１は、横長矩形形状であり、その横方向がおむつ幅方向と一致している。カバーシート１１のおむつ幅方向両端縁は、外層シート８のおむつ幅方向両端縁と揃っている。
【００４５】
幅方向伸縮部７における肌当接面側の面は、図１０に示すように、カバーシート１１に覆われていて、該カバーシート１１と接合されている。
股下部Ａにおいて、レッグフラップ部５の下側の面は、防漏シート３と直接接合されている。
その他の形態については、前述した第１実施形態と同様である。
【００４６】
第６実施形態の使い捨ておむつ１における背側部Ｂの胴回り部Ｅの両側部には、図１１及び図１２に示すように、第１実施形態における一対の幅方向伸縮部として、一対の伸縮性パネル部７、７が配設されている。本実施形態の背側部Ｂにおけるサイドパネル部９は、伸縮性パネル部７である。
第６実施形態の使い捨ておむつ１の一対の伸縮性パネル部７、７は、それぞれ、縦横に伸縮性を有する略台形状の樹脂フィルムを、同形状の不織布で挟んで接合して形成された複合部材である。一対の伸縮性パネル部７、７は、それぞれ、該伸縮性パネル部７全体に縦横方向の伸縮性を有している。一対の該伸縮性パネル部７、７それぞれの横方向外側端部には、図１１に示すように、ファスニングテープ１３が横方向に突出するように設けられている。
【００４７】
第６実施形態の使い捨ておむつ１において、外層シート８は、図１３に示すように、縦長矩形形状であり、その外形は防漏シート３と同じである。外層シート８の肌当接面側の面は、防漏シート３と接合されている。
【００４８】
第６実施形態の使い捨ておむつ１における一対の伸縮性パネル部７、７の幅方向内側の端縁は、図１１及び図１２に示すように、それぞれレッグフラップ部５の幅方向内側の端縁と揃えられて配設されている。
また、一対の伸縮性パネル部７、７は、図１１及び図１２に示すように、それぞれレッグフラップ部５と重なっており、該レッグフラップ部５と接着剤により直接的に接合されており、これらの接合部分は、幅方向の伸縮性を有していない。
尚、股下部Ａにおけるレッグフラップ部５は、カバーシート１１が配されていないことを除いては、図３に示す第１実施形態と同様である。
【００４９】
更に説明すると、股下部Ａにおけるレッグフラップ部５は、その幅方向の最外側に配されている弾性部材５１Ａより外側の部分も、防漏シート３に覆われている。本実施形態の使い捨ておむつ１は、カバーシート１１を有していないので、股下部Ａにおいて、レッグフラップ部５の下側の面における防漏シート３に覆われている部分は、該防漏シート３と直接接合されている。
背側部Ｂ及び腹側部Ｃにおいて、レッグフラップ部５の下側の面は、伸縮性パネル部７又はサイドパネル部９と接合されている部分を除いて、防漏シート３と接合されている。
【００５０】
伸縮性パネル部７の非肌当接面側の面において、おむつ幅方向内側の部分は、図１２及び図１３に示すように、防漏シート３に覆われていて、該防漏シート３と接合されている。
股下部Ａにおけるレッグフラップ部５の非肌当接面側の部分は、防漏シート３を介して、伸縮性パネル部７と繋がっている。
【００５１】
上述した第６実施形態の使い捨ておむつ１によれば、第１実施形態の幅方向伸縮部に代えて伸縮性パネル部７を用いているため、サイドパネル部９全体が伸縮性を有することで、サイドパネル部９に接合されたテープタブをつまんで伸長させるときに見かけ上斜め方向の伸縮物性が付与されることで、股〜臀部にかけてのフィット性が向上し、さらにはレッグフラップ部５の移動防止効果が一層向上する効果が奏される。
【００５２】
本発明の使い捨ておむつは、前述した各実施形態に制限されることなく、本発明の趣旨を逸脱しない限り適宜変更が可能である。
例えば、本発明の第６実施形態の使い捨ておむつ１における各レッグフラップ部５は、第２実施形態、第３実施形態、第４実施形態又は第５実施形態における各レッグフラップ部５と置き換えても良い。
また、レッグフラップ部・立体ギャザー部及び幅方向伸縮部に配設している糸ゴム状弾性部材の本数は適宜変更が可能であり、さらに板状・フィルム状・ネット状の弾性部材を幅広に配設していてもよい。
また、第１〜４の実施形態におけるカバーシート１１はおむつの全域に渡って配設されているが、これに限定すべきものでなく、一部分であってもよい。カバーシートの役割は幅方向伸縮部材が肌側で露出しないためのものであり、幅方向伸縮部の特にレッグフラップ部端部から幅方向外側の部分をカバーできる構成であればよい。
本発明の各実施形態において、一対の幅方向伸縮部７、７は、それぞれレッグフラップ部５とヒートシールによって、直接的又は間接的に接合されていても良い。
各実施形態において、レッグフラップ部５の各弾性部材５１の配設されている部分は、幅方向伸縮部７と重なっていたが、レッグフラップ部５の各弾性部材５１の配設されている部分の延長上に、幅方向伸縮部７が設けられていても良い。
【００５３】
更に、第１〜５の実施形態における幅方向伸縮部７は、カバーシート１１とは別の部位であったが、次に述べるように、カバーシート１１と一体的に形成しても良い。まず、カバーシート１１の幅方向両端部に亘って、複数の糸状の弾性部材を伸張状態で略平行に並べる。次に、カバーシート１１の幅方向両端部それぞれにおいて、所定の幅で前記弾性部材とカバーシート１１を接合した後、カバーシート１１の幅方向中央部において、前記弾性部材のみを切断する。
【００５４】
更にまた、本発明の使い捨ておむつの外層シート８又はカバーシート１１は、図６に示すように、レッグギャザー形成用の弾性部材５１を覆わないようにすることもできる。つまり、外層シート８及びカバーシート１１は、股下部Ａにおいて、防漏シート３より幅を狭くすることもできる。
【００５５】
また、本発明の使い捨ておむつにおける外層シート８又はカバーシート１１として、撥水性のシート材を用いることができる。この形態での第１〜５の実施形態における防漏シート３は、股下部Ａのレッグフラップ部５において、複数のレッグギャザー形成用の弾性部材５１のうち内方よりの一部を覆い、且つ、外層シート８又はカバーシート１１よりもおむつ幅方向の長さを狭くすることができる。このことにより、レッグフラップ５の端部を柔軟にすることができる。また、撥水性シートである外層シート８及びカバーシート１１は、レッグフラップ５端部近傍までの幅とすることで、レッグフラップ部５において必要な防漏性の効果が高まる。また、第６の実施形態においては、カバーシート１１が配されていないことを除いては同様とすることができる。
【００５６】
本発明の使い捨ておむつは、背側部を腹側に装着することもできる。
本発明の使い捨ておむつは、幼児用の使い捨ておむつであっても良いが、成人用の使い捨ておむつであってもあっても良い。
【００５７】
前述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００５８】
【図１】図１は、本発明のおむつの第１実施形態の自然状態における斜視図である。
【図２】図２は、図１の第１実施形態のおむつ緊張状態における展開平面図である。
【図３】図３は、図２の第１実施形態を模式的に示すＸ−Ｘ拡大断面図である。
【図４】図４は、図２の第１実施形態を模式的に示すＹ−Ｙ拡大断面図である。
【図５】図５は、第１実施形態のおむつを模式的に示す分解斜視図である。
【図６】図６は、本発明のおむつの第２実施形態をおむつ緊張状態において模式的に示す図３に相当する断面図である。
【図７】図７は、第２実施形態のおむつを模式的に示す分解斜視図である。
【図８】図８は、本発明のおむつの第３実施形態をおむつ緊張状態において模式的に示す図３に相当する断面図である。
【図９】図９は、本発明のおむつの第４実施形態をおむつ緊張状態において模式的に示す図３に相当する断面図である。
【図１０】図１０は、第５実施形態のおむつを模式的に示す分解斜視図である。
【図１１】図１１は、本発明のおむつの第６実施形態の緊張状態における展開平面図である。
【図１２】図１２は、図１１の第６実施形態を模式的に示すＺ−Ｚ拡大断面図である。
【図１３】図１３は、第６実施形態のおむつを模式的に示す分解斜視図である。
【符号の説明】
【００５９】
１      使い捨ておむつ
２      表面シート
３      防漏シート（裏面シート）
４      吸収体
４１    吸収体の長手方向の側縁
５      レッグフラップ部
５１    レッグギャザー形成用の弾性部材
５２    前端の固定部
５３    後端の固定部
５４    自由端
６      立体ギャザー部
６１    立体ギャザー形成用の弾性部材
６２    立体ギャザー部形成用のシート材
６３    固定端
６４    自由端
７      幅方向伸縮部（伸縮性パネル部）
７１    幅方向伸縮部弾性部材
８      外層シート
９      サイドパネル部
１１    カバーシート
１２    ウエスト伸縮部
１３    ファスニングテープ
１３１  ランディングゾーン
Ａ      股下部
Ｂ      背側部
Ｃ      腹側部
Ｗ１    固定端とレッグフラップ部の自由端との間の長さ
Ｗ３    レッグフラップ部の股下部の長さ
【図１】
2006320709.tif 000003
【図２】
2006320709.tif 000004
【図３】
2006320709.tif 000005
【図４】
2006320709.tif 000006
【図５】
2006320709.tif 000007
【図６】
2006320709.tif 000008
【図７】
2006320709.tif 000009
【図８】
2006320709.tif 000010
【図９】
2006320709.tif 000011
【図１０】
2006320709.tif 000012
【図１１】
2006320709.tif 000013
【図１２】
2006320709.tif 000014
【図１３】
2006320709.tif 000015